(57)【要約】【課題】関連性のある広告を供給するための方法及びシステム【解決手段】広告主サイト２０と、広告媒体提供サイト１０と、広告媒体提供サイト１０のコンテンツ情報更新通知を行うＰｉｎｇサーバ３０と、更新通知により広告媒体提供サイト１０のＲＳＳファイル１１を取得し、ＲＳＳファイル１１を記事毎に分解整理し、記事毎に独自アルゴリズムによりキーワード抽出と重み付けを行いキーワード分類の解析と評価を行い、評価更新完了通知を広告管理サーバ５０に通知する検索エンジンシステム４０と、評価更新完了通知が広告媒体提供サイト１０の場合、検索エンジンシステム４０が評価した結果を基に、最も関連性の高い広告を抽出する広告管理サーバ５０と、広告を配信する広告配信サーバ６０と、広告媒体提供サイト１０をユーザが閲覧する端末７０と、を備える。【選択図】図１
2008269537.tif 000002
【特許請求の範囲】
【請求項１】
広告が広告媒体提供サイトに関連しているかどうかを判断し、広告を配信するための方法であって、
前記広告媒体提供サイトが更新されたことを通知もしくは検知することと、
前記広告のために広告主が広告ターゲット情報を登録もしくは、広告ターゲットサイトを解析評価し広告ターゲット情報を生成することと、
前記広告媒体提供サイトのＲＳＳ情報を記事単位に解析評価することと、
前記ＲＳＳ情報の記事単位の評価結果を基に該当のＵＲＬ（Ｕｎｉｆｏｒｍ  Ｒｅｓｏｕｒｃｅ  Ｌｏｃａｔｏｒ）毎に評価することと、
前記広告ターゲット情報と前記広告媒体提供サイトのＵＲＬ毎の評価結果を比較することと、
比較結果が一致する場合に、前記広告が前記広告媒体提供サイトのＵＲＬ毎に関連していると判断することと、
前記広告を関連した前記広告媒体提供サイトのＵＲＬ毎の表示要求に従い配信することと、
を備える、方法。
【請求項２】
請求項１に記載の方法において、前記ＲＳＳ情報を記載する所定の書式はＲＳＳ（ＲＤＦ  Ｓｉｔｅ  Ｓｕｍｍａｒｙ、Ｒｉｃｈ  Ｓｉｔｅ  Ｓｕｍｍａｒｙ、Ｒｅａｌｌｙ  Ｓｉｍｐｌｅ  Ｓｙｎｄｉｃａｔｉｏｎの略）もしくはＡｔｏｍ（Ａｔｏｍ  Ｓｙｎｄｉｃａｔｉｏｎ  Ｆｏｒｍａｔ）フォーマットに準拠もしくは準じるフォーマットを特徴とする方法。
【発明の詳細な説明】
【技術分野】
【０００１】本発明は、インターネットにおける広告に関し、広告を表示する広告媒体提供サイトのＲＳＳファイルを取得し記事毎に解析評価した評価結果と、広告主の広告ターゲット情報を比較することにより、最も関連性の高い広告をリアルタイムに供給する技術に関する。
【背景技術】
【０００２】インターネットを使って情報収集を行うことが一般的になっており、特に、検索エンジンによるウェブサイトの検索は、情報収集を行う際に非常に有効な方法の一つである。現在サービス中の検索エンジンの多くは、クローラと呼ばれるプログラムがインターネット網を巡回し、ネット上に存在するウェブサイトのデータを自動的に取得し収集したデータを元に独自アルゴリズムでウェブページとウェブサイトの表示順位を評価決定した結果をデータベースに保存している。ユーザは端末から検索キーワードを入力し検索要求を検索エンジンに送り、検索結果をユーザ端末に返信する。【０００３】また近年、ブログでの情報発信は、ＰｉｎｇサーバもしくはＰｉｎｇサーバ機能を備えたＲＳＳポータルサイトへ自身のサイトを要約記録したＲＳＳ（ＲＤＦ  Ｓｉｔｅ  Ｓｕｍｍａｒｙ、Ｒｉｃｈ  Ｓｉｔｅ  Ｓｕｍｍａｒｙ、Ｒｅａｌｌｙ  Ｓｉｍｐｌｅ  Ｓｙｎｄｉｃａｔｉｏｎの略）もしくはＡｔｏｍ（Ａｔｏｍ  Ｓｙｎｄｉｃａｔｉｏｎ  Ｆｏｒｍａｔ）フォーマットを利用した通知により、情報発信者は情報伝達のリアルタイム性と自分の情報をより多くの人に見てもらうことが可能となった。このＲＳＳ、Ａｔｏｍの各記事には各ウェブページ、ブログページの要約情報を含めることが一般的であるが、必ずしもそのような制限があるわけではなく文字情報以外に、静止画、音声、動画、ＵＲＩ（Ｕｎｉｆｏｒｍ  Ｒｅｓｏｕｒｃｅ  Ｉｄｅｎｔｉｆｉｅｒ）等の情報を含めることが可能である。【０００４】一方、閲覧者側は端末上で、このＲＳＳ、Ａｔｏｍファイルを読み込むためのＲＳＳリーダと呼ばれるソフトウェアを利用して新着情報の確認と、必要な情報と不必要な情報の選択と、詳細な記事情報を閲覧することが可能になっている。【０００５】このＲＳＳ、Ａｔｏｍにより、情報発信者のニーズである、より多くの人に見てもらいたいことと、閲覧者側のニーズである情報の選択と情報の可読性の向上により、ＲＳＳ、Ａｔｏｍの採用は、ブログサイト以外に、ニュース配信サイトならびに企業ウェブサイト、その他一般ウェブサイトでも、ＲＳＳ、Ａｔｏｍフォーマットを利用し情報発信することが一般的になっており、ＲＳＳ、Ａｔｏｍファイルの各記事のタイトルと本文の内容は、インターネットマーケティングにおいて重要度を増している。【０００６】また近年、インターネットの普及に伴って、企業などの広告主はインターネットを利用した様々な広告を行っている。例えば、有名なポータルウェブサイトにバナー広告を掲載し、そのサイトにアクセスした顧客がそのバナー広告をクリックすることで広告主の商用サイトに接続されるようにするバナー広告、他のウェブサイトやブログサイトに広告用のエリアを設置してもらい、当該エリアに自社の商品やサービスの広告を行う、アフィリエイト広告、ユーザが検索エンジンを使用し検索を行った検索結果に、広告を含める検索キーワード広告、また、検索エンジンを使用し広告を掲載するアフィリエイトページのコンテンツ内容の解析と、広告主が登録した広告ターゲット情報を突合し、関連性の高い広告を表示するコンテンツマッチ広告等がある。また、これらの広告は、表示回数課金型、クリック課金型、会員登録もしくは商���購入等の成功報酬型に分類することもできる。【０００７】検索エンジンを使用した検索キーワード広告に関して、特許文献１には、広告主が検索キーワード毎にオンライン競争入札手続きを通じて、検索結果の表示位置に影響を与える入札額を決定し、検索結果の広告表示順位と表示位置を決定するシステム及び方法が開示されている。【０００８】また、コンテンツマッチ広告に関して、特許文献２には、ウェブサイトもしくはブログサイトのウェブページに関連性のある広告を供給するための方法及び装置が開示されており、特許文献３には、ウェブページコンテンツに基づいた広告を供給する方法が開示されている。【０００９】従来例の一つに、検索エンジンは近年のブログサイトの増加により、一般ウェブサイトに比べページ間のリンク数の多いブログサイトが高く評価される傾向にあった。また、故意的に検索順位を上げる目的のため、ブログ記事投稿画面から無差別にトラックバックを行うことにより他ブログサイトページからのリンク数を増やし上位に表示する問題と、有名人のブログサイトへのリンクをブログサイトのページに貼り付けることによる有名人ブログサイトが上位に表示される問題と、本、音楽ＣＤ、映画ＤＶＤ等のクリック課金型のアフィリエイト広告をブログサイトのページへ張り付けることにより、商品販売サイトのページが上位に表示される問題と、プログラムによる自動更新ブログサイトの登場により、他ブログサイトの記事本文をコピーし更新頻度を上げ上位に表示する問題と、他ブログサイトへ悪戯目的のコメントの投稿による記事とは関係の無い検索キーワードによる表示問題等が発生している。これらの問題は検索エンジンとして対策が施されてはいるが効果的な結果には至っておらず、ユーザの要求する検索結果がユーザの満足する結果ではなく、検索エンジンの検索精度に係わる問題が発生している。【００１０】更に、他の例には、ブログサイト用のブログ検索エンジンも開発されサービスをしている。このブログ検索エンジンは従来の検索エンジンと同様な方法にてデータを収集し、独自アルゴリズムにより記事やサイトの順位付けを行っているが、主に更新順に順位付けし表示しているために、ブログで引用されているブログサイト、ニュース記事、動画、文章中で多く出現するキーワード等の直近の傾向や概要を知るには便利であるが、ユーザの要求する過去の情報を含めた必要な情報を速やかに取得する目的には不向きであり、従来の検索エンジンと同様の問題があった。【００１１】更に、他の例には、検索エンジンの検索精度の問題により、検索エンジンを使用した検索キーワード広告と、コンテンツマッチ広告において、例えば、パンの製造販売店の紹介ブログサイトでは、パンツの製造販売の広告が表示される場合があり、顧客はパンに関する新しい情報もしくは有益な情報を得る目的のために、パンの製造販売店の紹介ブログサイトに訪れているにもかかわらず、パンツの製造販売の広告には興味が無いため、広告がクリックされずに広告主サイトへの訪問者数が伸びない等のインターネット広告において根源的な、広告掲載場所と広告内容の不適合の問題が発生していた。この問題により、広告主は広告が表示回数課金型とクリック課金型の場合、���リックされないために広告出稿費用に対して満足する結果が得られない問題と、広告を掲載するウェブサイトもしくはブログサイトの広告媒体提供者は、サイトアクセス数に比べてクリックされないために、満足する広告収入が得られない問題が発生していた。【００１２】更に、他の例には、従来の検索エンジンのクローラと呼ばれるプログラムがインターネット網を定期的に巡回し、ネット上に存在するウェブサイト、ブログサイトのデータを自動的に収集するが、この検索エンジンのデータ収集更新頻度の間隔により、広告媒体提供者の運営するウェブサイトもしくはブログサイトに、関連性の高い広告が表示されるまでに１、２週間程度を要しており、さらに広告媒体提供者の運営するウェブサイトもしくはブログサイトの更新があった場合、その更新内容に関連性の高い広告が表示されるまでに１、２週間程度の時間を要し、リアルタイムに最適な広告が表示されない問題が発生していた。【００１３】
【特許文献１】特表２００３−５０１７２９号公報
【特許文献２】特表２００６−５００６９８号公報
【特許文献３】特表２００６−５００６９９号公報
【発明の開示】
【発明が解決しようとする課題】
【００１４】上記の従来例では、検索エンジンが評価するウェブページには情報ノイズが多く、この情報ノイズが検索エンジンの検索精度の問題となり、広告掲載場所と広告内容の不適合の問題と、さらには広告主の広告出稿費用対効果の問題と、さらには広告媒体提供者のサイトアクセス数に比べ満足する広告収入が得られない問題が発生していた。また、検索エンジンが、広告媒体提供者の運営するウェブサイトもしくはブログサイトのデータ収集更新頻度の間隔により、リアルタイムに最適な広告が表示されず機会損失が発生していた。【００１５】本発明は、このような課題を解決するために、検索エンジンの検索精度向上とリアルタイム性の高い検索エンジンシステムを基とした、最も関連性の高い広告をリアルタイムに供給する広告配信システムを提供することを目的とするものである。
【課題を解決するための手段】
【００１６】このような目的を達成するために、本発明にかかる広告配信システムは、広告媒体提供サイトのコンテンツ情報更新通知を行うＰｉｎｇサーバと、更新通知により広告媒体提供サイトのＲＳＳファイルを取得し、ＲＳＳファイルを記事毎に分解整理し、記事毎に独自アルゴリズムによりキーワード抽出と重み付けを行いキーワード分類の解析と評価を行い、評価更新完了通知を広告管理サーバに通知する検索エンジンシステムと、評価更新完了通知が広告媒体提供サイトの場合、検索エンジンシステムが評価した結果を基に、最も関連性の高い広告を抽出する広告管理サーバと、広告を配信する広告配信サーバと、を備える。
【発明の効果】
【００１７】本発明によれば、インターネットマーケティングの上で情報価値が増大しているＲＳＳ、Ａｔｏｍ準拠もしくは準じるフォーマットのＲＳＳファイルの記事を評価対象とすることにより、従来のページ評価によるその他サイトへのリンク情報、トラックバック、コメント、クリック課金型のアフィリエイト広告等が含まれないことから、情報ノイズが大幅に削減し、情報発信者が情報発信として意図している記事のタイトル、記事カテゴリ、記事本文のテキストや添付している静止画、音声、動画、ＵＲＩの評価を行うことにより、情報価値の精査が可能であり、またＲＳＳファイルはＸＭＬ（Ｅｘｔｅｎｓｉｂｌｅ  Ｍａｒｋｕｐ  Ｌａｎｇｕａｇｅ）フォーマットから派生していることから、情報発信者が各情報の意味づけを行うことが可能であり、その意味付けを解釈することにより、情報発信者の意図の解釈が可能であり、記事毎の評価からページならびにサイトの総合評価をすることと、それぞれの表示順を決定することにより、検索精度を大幅に上げることができる。【００１８】本発明によれば、検索精度の向上により、インターネット広告の根源的な広告掲載場所と広告の適合精度を大幅に上げることができる。【００１９】本発明によれば、広告掲載場所と広告の適合精度を上げることにより、広告主の広告出稿費用対効果が満足する結果を得ることができる。【００２０】本発明によれば、広告掲載場所と広告の適合精度を上げることにより、広告媒体提供者のサイトアクセス数に比べ満足する広告収入が得られるよう改善することができる。【００２１】本発明によれば、リアルタイムに処理を行うことから、広告媒体提供サイトの更新から１、２週間と時間を要せず広告をリアルタイムに変更し、機会損失を無くすことができる。
【発明を実施するための最良の形態】
【００２２】次に、本発明の実施形態について図１を参照して、広告配信システムについて説明する。図１は、本発明の実施の形態にかかる広告配信システムの構成を示すブロック図である。この広告配信システムは、ネットワーク１に設けられた広告主の広告主サイト２０と、広告媒体提供者の広告媒体提供サイト１０と、広告媒体提供サイト１０のコンテンツ情報更新通知を行うＰｉｎｇサーバ３０と、更新通知により広告媒体提供サイト１０のＲＳＳファイル１１を取得し、ＲＳＳファイル１１を記事毎に分解整理し、記事毎に独自アルゴリズムによりキーワード抽出と重み付けを行いキーワード分類の解析と評価を行い、評価更新完了通知を広告管理サーバ５０に通知する検索エンジンシステム４０と、評価更新完了通知が広告媒体提供サイト１０の場合、検索エンジンシステム４０が評価した結果を基に、最も関連性の高い広告を抽出する広告管理サーバ５０と、広告を配信する広告配信サーバ６０と、広告媒体提供サイト１０をユーザが閲覧する端末７０と、を含む。【００２３】広告主は、自身の管理運営する広告主サイト２０のＵＲＬ（Ｕｎｉｆｏｒｍ  Ｒｅｓｏｕｒｃｅ  Ｌｏｃａｔｏｒ）と、広告主情報と、決済方法と、サイト紹介文と、広告ページのＵＲＬと、広告説明文と、広告掲載カテゴリと、広告掲載キーワード等の広告ターゲット情報を広告管理サーバ５０に登録する。広告配信運営者は、広告主の登録した情報を基に独自の審査基準に照らし合わせる。【００２４】広告主が、広告配信運営者の審査基準に適合した場合、広告主へ電子メール等で連絡し、広告主は広告掲載カテゴリと広告掲載キーワード等の広告ターゲット情報を所定の入札条件に従い入札を行い、広告管理サーバ５０に登録し、広告の配信が開始される。【００２５】広告媒体提供者は、自身の管理運営する広告媒体提供サイト１０のＵＲＬと、広告媒体提供者情報と、決済方法と、競合広告カテゴリと、競合広告キーワード等を広告管理サーバ５０に登録する。広告配信運営者は、広告媒体提供者の登録した情報を基に、独自の審査基準に照らし合わせる。【００２６】広告媒体提供者が、広告配信運営者の審査基準に適合した場合、広告媒体提供者へ電子メール等で連絡し、広告媒体提供者の管理運営する広告媒体提供サイト１０の該当ＵＲＬページ毎に貼り付けることができる、広告表示スクリプトを広告管理サーバ５０から提供する。広告媒体提供者は、広告表示スクリプトを該当ＵＲＬページに貼り付け、関連性の高い広告を広告表示スクリプト位置へ表示することができる。【００２７】広告媒体提サイト１０は、情報コンテンツであるページを更新した場合、ＲＳＳファイル１１を記載する所定の書式であるＲＳＳ、Ａｔｏｍ準拠もしくは準じる書式で、自動もしくは手動にてＲＳＳファイル１１を生成配置し、Ｐｉｎｇサーバ３０へ広告媒体提供サイト１０のＵＲＬ等の更新情報を自動もしくは手動にて送信する。【００２８】Ｐｉｎｇサーバ３０は、更新通知のサイト情報ＵＲＬ等を更新サイト情報データベース３１に格納する。【００２９】検索エンジンシステム４０は、Ｐｉｎｇサーバ３０の更新サイト情報データベース３１から更新サイト情報ＵＲＬを取得し、広告媒体提供サイト１０のＵＲＬを特定し��広告媒体提供サイト１０のＲＳＳファイル１１を取得し、ＲＳＳファイル１１を記事単位に分解し、記事毎に分解したＲＳＳ情報を独自アルゴリズムにより解析し、キーワード抽出と重み付けを行いキーワード分類の解析と評価を行い、記事毎の評価からページならびにサイトを総合評価し、キーワード毎に有益な情報を発信している記事、ページ、サイト毎に表示順位を決定し、検索エンジンデータベース４１に評価結果を登録更新し、評価結果更新完了通知として広告媒体提供サイト１０の該当する評価結果を更新したＵＲＬを広告管理サーバ５０に通知する。【００３０】また、検索エンジンシステム４０は、検索エンジンデータベース４１に登録されている定期巡回先サイトのＵＲＬを取得し、このＵＲＬを基にＲＳＳファイル１１が更新されているかどうかも定期的にチェックを行うものとする。【００３１】広告管理サーバ５０は、検索エンジンシステム４０から通知された広告媒体提供サイト１０の該当する評価結果を更新したＵＲＬを基に、検索エンジンデータベース４１から評価結果を抽出する。【００３２】広告管理サーバ５０は、抽出した評価結果を広告ターゲット情報として条件指定し、最も関連性の高い広告リストを広告管理データベース５１から検索し、検索結果である広告リストを広告媒体提供サイト１０の更新ＵＲＬ毎に広告配信サーバ６０の広告配信データベース６１に登録更新する。【００３３】ユーザは、端末７０からＵＲＬ指定により、広告媒体提供サイト１０の表示要求を行い、広告媒体提供サイト１０は該当ＵＲＬコンテンツを端末７０に返信し、端末７０は広告媒体提供サイト１０の該当ＵＲＬコンテンツを表示する。この時、広告媒体提供サイト１０のＵＲＬページ毎に貼り付けた広告表示スクリプトがある場合、広告配信サーバ６０は、ユーザ端末７０から広告表示要求を受付け、広告媒体提供サイト１０の該当ＵＲＬを条件に広告配信データベース６１から広告リストを抽出返信し、ユーザ端末７０は広告媒体提供サイト１０の該当ＵＲＬページに最も関連性の高い広告リストを表示する。【００３４】ユーザが、端末７０に表示された広告リストの中から広告主サイト２０のＵＲＬ付き広告を選択した場合、広告主サイト２０のＵＲＬページを端末７０に表示する。また、選択した広告が動画である場合、端末７０にて動画再生を行うことも可能である。【００３５】本発明の実施形態にかかる広告配信システムは、情報ディレクトリ型サイトもしくはコミュニティサイトのカテゴリ毎に広告を配信することにも適しており可能である。
【図面の簡単な説明】
【００３６】
【図１】本発明に係わる広告配信システムの構成図である。
【符号の説明】
【００３７】１      ネットワーク
１０    広告媒体提供サイト
１１    ＲＳＳファイル
２０    広告主サイト
３０    Ｐｉｎｇサーバ
３１    更新サイト情報データベース
４０    検索エンジンシステム
４１    検索エンジンデータベース
５０    広告管理サーバ
５１    広告管理データベース
６０    広告配信サーバ
６１    広告配信データベース
７０    端末
【図１】
2008269537.tif 000003